(57)【特許請求の範囲】
【請求項１】
適合化不能な一次熱源（１０）と補助熱源（２０）とを有する太陽熱蒸気発電所（１）における、特に自動的出力調整のための設定値の設定値適合化方法において、
前記太陽熱蒸気発電所（１）の運転中の少なくとも１つの所定の時点で、前記太陽蒸気熱発電所（１）の現在の出力範囲（８０）を確認し、
その際、前記太陽熱蒸気発電所（１）の現在の出力範囲（８０）は、調整範囲下限（９１）と調整範囲上限（９２）とによって、制限されるものとし、かつ
前記現在の出力範囲（８０）を、前記一次熱源（１０）、（８１）として太陽エネルギーからの現在の出力を利用すると共に、前記補助熱源（２０）、（８２）からの最小可能出力を加算して、ならびに、前記一次熱源（１０）、（８１）として太陽エネルギー（１０）からの現在の出力を利用すると共に、前記補助熱源（２０）、（８２）からの最大可能出力を加算して、定め、
その際、前記調整範囲下限（９１）では、出力調整、および／または、周波数調整のための、少なくとも１つのリザーブ成分を有する下側出力リザーブ（８４）を考慮し、
その際、前記調整範囲上限（９２）では、出力調整、および／または、周波数調整のための、少なくとも１つのリザーブ成分を有する上側出力リザーブ（８５）を考慮し、かつ
当該設定値適合化では、前記太陽熱蒸気発電所（１）の現在の所定の設定値（７０）を、その現在の所定の設定値（７０）が前記所定の現在の出力範囲（８０）の外側にある場合には、現在の出力範囲内に調整する（７１）
ことを特徴とする、太陽熱蒸気発電所における設定値適合化方法。
【請求項２】
請求項１に記載の方法において、
前記太陽熱蒸気発電所（１）の前記現在の所定の設定値（７０）を、その現在の所定の設定値（７０）が前記現在の出力範囲（８０）の上側にある場合には、下方に向かって少なくとも前記調整範囲上限（９２）まで導き、および／または、前記太陽熱蒸気発電所（１）の前記現在の所定の設定値（７０）を、その現在の所定の設定値（７０）が前記現在の出力範囲（８０）の下側にある場合には、上方に向かって少なくとも前記調整範囲下限（９１）まで導く
ことを特徴とする方法。
【請求項３】
請求項１または２に記載の方法において、
前記補助熱源（２０）が天然ガス燃焼（２０）であり、その天然ガス燃焼（２０）からの前記現在の出力範囲を、前記補助熱源（２０）、（８２）からの最小可能出力によって、ならびに、補助熱源（２０）、（８３）からの最大可能出力によって、規定する
ことを特徴とする方法。
【請求項４】
請求項１から３のうちの１つに記載の方法において、
前記調整範囲下限（９１）では、前記太陽熱発電所（１）の経済的運転を達成するため、前記補助熱源（２０）の経済的寄与（８６）を考慮する
ことを特徴とする方法。
【請求項５】
請求項１から４のうちの１つに記載の方法において、
前記下側出力リザーブ（８４）では、前記出力調整、および／または、周波数調整のためのリザーブに加えて、下方燃焼のための別のリザーブ、および／または、蒸気蓄積器の開放および／または「ダンピング」のための別のリザーブを考慮する
ことを特徴とする方法。
【請求項６】
請求項１から５のうちの１つに記載の方法において、
前記上側出力リザーブ（８５）では、前記出力調整、および／または、周波数調整のためのリザーブに加えて、上方燃焼用の別のリザーブ、および／または、蒸気蓄積器の充填用および／または「ダンピング」のための別のリザーブを考慮する
ことを特徴とする方法。
【請求項７】
請求項１から６のうちの１つに記載の方法において、
前記調整範囲下限（９１）を、前記一次熱源（１０）、（８１）からの前記現在の出力と、それに加えて前記補助熱源（２０）、（８２）からの最小可能出力と、それに加えて前記太陽熱発電所（１）の経済的運転を達成するための前記補助熱源（２０）の経済的寄与（８６）と、さらにそれに加えて下側出力リザーブ（８４）とを加算して定める、および／または、前記調整範囲上限（９２）を、前記一次熱源（１０）、（８１）からの現在の出力と、それに加えて前記補助燃料（８３）による燃焼からの最大可能出力を加算して、かつ、上側の出力リザーブ（８５）を減算して、定める
ことを特徴とする方法。
【請求項８】
請求項１から７のうちの１つに記載の方法において、
前記太陽熱蒸気発電所（１）の前記現在の出力範囲（８０）を、その蒸気発電所（１）の設定値調整器に報知し、その調整器が、前記太陽熱蒸気発電所（１）の前記現在の所定の設定値（７０）を、その値が前記現在の出力範囲（８０）の外側にあるときに、適合化する（７１）
ことを特徴とする方法。
【請求項９】
請求項１から８のうちの１つに記載の方法において、
前記太陽熱蒸気発電所（１）の確認された前記現在の出力範囲（８０）が、所定の最小値を下回るときには、前記現在の所定の設定値（７０）を、実際値に追従させる、および／または、負荷分配器の影響、および／または、周波数調整の影響を、遮断する
ことを特徴とする方法。
【請求項１０】
請求項１から９のうちの１つに記載の方法であって、
前記太陽熱蒸気発電所（１）の運転中における、所定の時間インターバルの複数の時点のそれぞれで、実施される
ことを特徴とする方法。
【請求項１１】
請求項１０に記載の方法において、
前記時間インターバルが、前記太陽熱蒸気発電所（１）の所定の運転期間である、および／または、前記複数の時点が、前記時間インターバル内で時間列を形成する
ことを特徴とする方法。
【請求項１２】
請求項１から１１の少なくとも１つに記載の方法において、
前記太陽熱蒸気発電所（１）の自動的出力調整（７１）に利用され、
その際、前記太陽熱蒸気発電所（１）の所定の運転期間インターバルからの１つの時間列の多数の時点で、請求項１から１２の少なくとも１つに記載の方法を、それぞれ実施し、
その際、前記太陽熱蒸気発電所（１）の所定の現在の設定値（７０）の１つがそのときの現在の出力範囲（８０）の外側にある毎に、前記現在の設定値（７０）を、自動的に、前記太陽熱蒸気発電所（１）の設定値調整器によって、前記現在の出力範囲（８０）に適合化するべく、そのときの調整範囲限度（９１、９２）に調整し、そして
前記現在の所定の、もしくは適合化された、設定値（７０）を利用して、前記太陽熱蒸気発電所（１）の出力を調整する
ことを特徴とする方法。
【請求項１３】
自由な適合化が不能な一次熱源（１０）と補助熱源（２０）とを有する太陽熱蒸気発電所（１）であって、
請求項１から１２の少なくとも１つに記載の方法を実施するべく構成されたデータ処理手段（６４）として、そのようにプログラミングされた計算ユニット（６４）を有する
ことを特徴とする太陽熱蒸気発電所。
【請求項１４】
請求項１３記載の太陽熱蒸気発電所（１）において、
前記データ処理手段（６４）が、前記太陽熱蒸気発電所（１）のブロックガイド（６１）の構成要素である
ことを特徴とする太陽熱蒸気発電所。
【発明の詳細な説明】
【技術分野】
【０００１】
本発明は、適合化不能な一次熱源と補助熱源とを有する太陽熱蒸気発電所における、設定値の設定値適合化方法に係り、特に自動出力調整、および／または、周波数調整、より詳細には一次および／または二次の周波数調整のための方法、および、太陽熱蒸気発電所に関する。
【背景技術】
【０００２】
一般的形式の蒸気発電所は、例えば非特許文献１から広く知られている。
【０００３】
蒸気発電所は、発電設備の一様式であって、水蒸気の熱エネルギーを蒸気タービンにおいて運動エネルギーに変換し、更に発電機において電気エネルギーに変換するものである。
【０００４】
この種の蒸気発電所においては、蒸気タービンの運転に必要な水蒸気は、まず蒸気ボイラにて通常予め洗浄および処理された（給）水から作られる。その蒸気を過熱器にて更に加熱することにより、蒸気の温度および比容積が増大する。
【０００５】
蒸気ボイラからの蒸気は、導管を介して蒸気タービンに流れ、そこで、その蒸気は、既に吸収したエネルギーの一部を、運動エネルギーとしてタービンに付与する。そのタービンには発電機が接続されており、その発電機が機械出力を電気出力に変換する。
【０００６】
その後、膨張し冷却された蒸気は、凝縮器に流れ込み、そこで周囲への熱伝達によって凝縮し、液状の水として集められる。
【０００７】
水は、凝縮ポンプおよび予熱器を通って給水容器に中間蓄積され、次いで給水ポンプおよび予熱器を通って、改めて蒸気ボイラに導かれ、斯くして循環路は閉路を成している。
【０００８】
蒸気発電所の種類は、例えば石炭発電所、石油発電所、ガス・蒸気複合発電所（ＧｕＤ発電所）、太陽熱蒸気発電所（以下、太陽熱発電所と略称）と区別される。
【０００９】
太陽熱発電所は、例えば非特許文献２によって、同様に公知である。
【００１０】
太陽熱発電所は、この場合、蒸気発電所の特殊な一形態であり、一次のエネルギー源もしくは熱源としての太陽エネルギーを蒸気発生のために使用するものである。
【００１１】
このため、この種の太陽熱発電所は、２つの  −熱交換器を介して（熱的に）接続された−  循環路、つまり一次の循環路（ソーラー循環路）と二次の循環路（水・蒸気循環路）とで以て、すなわち二回路原理で以て、作動する。
【００１２】
一次の循環路、若しくはソーラー循環路では、熱搬送媒体  −ソーラーコレクターフィールドに配置された大抵は多数のソーラーコレクターを貫流する−  が、例えば（熱媒）油が、太陽光の入射によって、加熱される（一次の熱源／エネルギー源または一次のエネルギー供給／熱供給）。
【００１３】
加熱された熱搬送媒体は、更に、熱交換器を貫流し、そこで、既に持っている熱エネルギーを、二次の循環路、水・蒸気循環路、すなわちそこに存在しているプロセス媒体である（給）水へと受け渡す。
【００１４】
その後、熱搬送媒体  −今や冷却された−  は、ソーラーコレクターに還流し、斯くして一次の循環路、若しくはソーラー循環路は、閉路となっている。
【００１５】
一次の循環路から二次の循環路への、若しくは水‐蒸気‐循環路への、熱搬送によって、（給）水が、水蒸気へと変換され、すなわち加熱、蒸発および過熱されて、導管を介して蒸気タービンへと流れ、そこで水蒸気が膨張することによって、そのエネルギーの一部が運動エネルギーとしてタービンに付与される。
【００１６】
タービンに接続された発電機によって、機械出力は、次いで電気出力へと変換され、電流として送電系統に供給される。
【００１７】
通常は、タービンの下流に凝縮器が配置され、この中で蒸気  −タービンにおける膨張後の−  が、その熱の大部分を冷却水へと伝達する。その過程において、蒸気は、凝縮によって液化する。
【００１８】
給水ポンプは、生じた液状の水を給水として改めて熱交換器に供給し、斯くして二次の循環路も閉路となっている。
【００１９】
太陽熱蒸気発電所において発生する、例えば測定値やプロセスまたは状態データなどの、全ての情報は、中央監視室に表示され、そこで大抵は中央計算ユニットで評価され、個々の発電機構成要素の運転状態の、表示、評価、管理、制御、および／または、調整が行われる。
【００２０】
発電所の作業員は、制御機構を介して、例えば装備もしくは弁を開閉することまたは供給燃料量を変化させることによっても、発電機の運転状況に関与することができる。
【００２１】
この種の中央監視室の中心となる構成部材は、マスターコンピュータであり、これにより‐例えば自動化システム/自動化ソフトウエアとして‐ブロックガイド、中央管理、または、制御もしくは調整ユニットが実行され、これにより、太陽熱発電所の管理、制御、および／または、調整を実施することができる。
【００２２】
規制が解除された電力市場では、発電所の柔軟な負荷運転および発電所運転用の送電系統における、周波数調整用装置が、益々重要なものとなっている。
【００２３】
送電系統における周波数調整に関しては、例えばいわゆるデッドゾーンのあるまたはない一次調整および二次調整などの、種々の周波数調整が区別される。
【００２４】
電気エネルギーは、生産者から消費者への途上で蓄積することができないので、発電および電力消費は、その瞬間ごとに送電系統においてバランスを保つ必要がある、すなわち、消費される分だけ電気エネルギーが生産されなければならない。電気エネルギーの周波数は、この場合、積分調整値であり、発電と電力消費とがバランスを取れている限り、系統周波数定格値をとる。送電系統に接続された発電所の発電機の回転数は、この系統周波数と同期化される。
【００２５】
ある時点で送電系統に発電不足が生じると、その不足は差し当たり回転機械（タービン、発電機）のフライホイールで得られたエネルギーによって補われる。これにより、その機械は制動され、その結果、その回転数および（系統）周波数が更に低下する。
【００２６】
この系統周波数の低下に対して送電系統における適当な出力もしくは周波数調整を行って対処しなければ、これは系統の崩壊に至ることになり得る。
【００２７】
+/- 0.07‐0.1 Ｈｚまでの小さな周波数偏倚の範囲の、いわゆるデッドゾーン内では、通常の場合、調整作業は行われない。この範囲では、発電と消費との間に残存する偏倚の補償に対しては、遅延した緩慢な対抗策のみが可能である。
【００２８】
例えば発電所の事故や電力消費の変動によって惹起された0.1‐3.0 Ｈｚの範囲の比較的大きな周波数偏倚は、一次調整によって全送電系統における一次調整に関与する複数の発電所に分与される。これらの発電所は、そのため、いわゆる一次調整リザーブ、つまりは出力リザーブを利用しており、これは関与する複数の発電所から自動的に送電系統に供され、これにより、発電と消費との不均衡を数秒のうちに発電調整によって補償する。
【００２９】
一次調整は、従って、できるだけ小さい偏倚における系統周波数の安定化に役立つが、所定の系統周波数定格値とは異なるレベルに留まる。
【００３０】
一次調整に続く二次調整は、送電系統における発電と電力消費の均衡を再形成し、これにより、系統周波数を再び、例えば５０Ｈｚの、所定の系統周波数定格値に戻すように機能する。
【００３１】
二次調整に関与する発電所は、このため二次調整リザーブを提供し、系統周波数を再び系統周波数定格値に戻して、送電系統における均衡を再形成している。
【００３２】
一次調整リザーブの要求および送電系統への一次調整リザーブの提供は、一次調整に関与する発電所の調整装置によって自動的に行われる（この種の送電系統もしくは送電系統における周波数変化は、一次調整リザーブを必要とする）が、これに対し、二次調整は、送電系統における上位の系統調整器によって、二次調整に関与する発電所において要求される  ‐そしてこの要求に基づいて発電所から送電系統へ提供される。
【００３３】
一部においては、発電所に対する周波数調整、より詳細には一次および／または二次の調整リザーブの準備は、一定の範囲で  ‐国の規定によって‐  義務化されている。発電所から提供される調整リザーブは、通常、発電所に特殊なネットサービス出力として補償される。
【００３４】
従って、太陽熱蒸気発電所に対しても、周波数調整または出力調整運転への関与は、経済的に魅力的であり得る。また、再生エネルギー（例えば風力エネルギー）の拡大によって、種々の発電所の調整能力に対する要求の強化が予期される。例えば、周波数調整の要求を、将来は太陽熱発電所に対しても規定することが予期される。
【００３５】
太陽熱発電所の運転は、就中、その発電所が自由に適合化することのできない一次熱源のため、および、太陽熱プロセスの慣性のために、出力および／または周波数調整ができないという欠点を有する。
【００３６】
この場合、自由に適合化することのできない一次熱源とは、この一次熱源が発電所側の作用が及ばない条件下にあり、  ‐したがって一次熱源は‐発電所の観点からは‐  自由に適合化できないことを意味する。例えば太陽光の入射もしくはその熱搬送媒体に対する一次熱供給は、例えば変化する日差しや曇りのような多少とも偶然性の予想できない変化を被り、そのため、この種の熱源は、発電所側では自由に適合化することができない。
【００３７】
ソーラーコレクターフィールドの一般に大面積の規模も、ソーラーコレクターフィールドにおける時間的に著しく遅延する変化を生じる。従って、ソーラーコレクターの焦点合わせの変化によって発電機出力の所期の変化を生じさせることはできず、同様に太陽熱発電所における出力および／または周波数の調整能力が、著しく制限される。
【００３８】
出力調整、および／または、周波数調整、より詳細には一次および／または二次の調整、もしくは、周波数調整リザーブ、より詳細には一次および／または二次の調整リザーブの用意は、この種の太陽熱発電所では  ‐所望通りもしくは要求通りには‐  不可能である。
【００３９】
それにも拘わらず、太陽熱発電所において  ‐一次熱源（ソーラー循環路）に対して‐  ある程度の出力適合化を可能にするために、補助熱源、例えば特殊な天然ガスボイラによる補助的な天然ガス燃焼装置を、一次循環路に設けることができる。
【００４０】
この補助熱源、または、特殊な場合には補助的な天然ガス燃焼装置は、特に熱搬送体または熱交換器の直前のソーラー循環路に配置されるが、これらの熱源は、必要に応じて一次循環路における熱搬送媒体の温度を適合化することを可能にするので、多少とも相応する電力を二次循環路において作ることができる。
【００４１】
ここで、例えば天然ガスの燃焼装置などの補助熱源によって、必要に応じて熱を供給または減少すれば、自由に適合化することが不可能な一次の熱源/熱供給および補助の熱源／熱供給を有するこの種の太陽熱発電所において生成される発電所電力が、安定化される、または、ある程度の範囲内での、電力増補、およびそれのみならず、周波数調整、より詳細には一次および／または二次の調整が、行われることとなる。
【００４２】
達成可能な出力は、  ‐すなわちここに、自由に適合化することが不可能な‐  一次熱源および補助熱源を有するこの種の太陽熱発電所においても、また一般的な太陽熱発電所においても  ‐単に所定のキャン出力(can power)のみによって、すなわち個々の出力制限装置（例えば運転中の給水ポンプ）の状態に連関した発電所の最大運行可能な出力によって、制限される。
【００４３】
更に、一次循環路における補助熱源は、熱搬送媒体を液状に保持（アンチフリーズ保護）するためにも利用できる。
【００４４】
例えば、補助的な天然ガス燃焼装置などの補助熱源の使用の基準は、専ら経済的な考察に基づくものであるが、この種の補助的な燃焼もしくは熱供給は、付加的な／増大する、燃料コストおよび／または発電所コストを必要とする。
【００４５】
この種の補助的熱供給によって、太陽熱発電所における、ある程度の出力の適合化は基本的に可能になっても、どの程度の範囲の出力の適合化が可能となるのか、あるいはまた、それによって出力の調整が可能となるのかは、依然として予想できないという欠点が残る。なぜなら、  ‐適合化不能な‐  一次熱源、すなわち太陽エネルギーの変動は、発電所ではコントロール不能であり、多少とも偶発的に生じるものであるからである。
【００４６】
従って、この種の太陽熱発電所  ‐自由に適合化することが不可能な一次熱源および補助熱源を有する偶発的に発生する一次熱供給の出力調整、および／または、周波数調整、より詳細には一次および／または二次の調整が、不可能である‐  もまた、発電所の運営者に対して  ‐少なくとも負の作用として‐  相応する収入減をもたらす。
【００４７】
蒸気発電所における、周波数調整、より詳細には二次および／または一次の調整、の枠内での出力変化の加速によって、蒸気発電所のプロセス媒体すなわち給水、より詳しく言えば水蒸気に含まれるエネルギーを利用（「水・蒸気循環路における熱蓄積器」）して迅速に作用する、付加的な手段を加える、ということが知られている（非特許文献３）。
【００４８】
これに関する公知例は、高圧タービン調整弁の絞り、高圧部分タービン用の過負荷導入、凝縮露、高圧予熱器の給水側の迂回、および、高圧予熱器に対するタッピング蒸気管の絞り、である。
【００４９】
このプロセス媒体内在エネルギー蓄積器もしくは水・蒸気循環路における熱蓄積器は、就中、限界があり、これによって得られる可調整リザーブにも、限界がある。
【００５０】
このような水・蒸気循環路におけるエネルギー蓄積器もしくは水・蒸気循環路においては、熱蓄積器が一度消費／排出されると、水・蒸気循環路におけるこの種の熱蓄積器を再充填する必要が生じ、これに起因して、調整リザーブは更に制限されることとなる。
【先行技術文献】
【非特許文献】
【００５１】
【非特許文献１】http://de.wikipedia.org/wiki/Dampfkraftwerk  （2012.3.14入手）
【非特許文献２】http://de.wikipedia.org/wiki/Sonnenwaermekraftwerk  （2012.3.14入手）
【非特許文献３】Wichtmann et al “Flexible Load Operation and Frequency Support for Steam Turbin Power Plants”, VGB PowerTech 7/2007, p. 49-55
【発明の概要】
【発明が解決しようとする課題】
【００５２】
本発明の基本的な目的は、適合化不能な一次熱源および補助熱源を有する太陽熱発電所における、特に自動的もしくは自動化された、出力調整、および／または、周波数調整、より詳細には一次および／または二次の調整を可能とする方法を、提供することにある。また、本発明の目的は、特に自動的もしくは自動化された、出力調整、および／または、周波数調整、より詳細には一次および／または二次の調整、に適した太陽熱発電所を、提供することにある。
【課題を解決するための手段】
【００５３】
この課題は、それぞれ独立請求項の特徴を有する、適合化不能な一次熱源と補助熱源とを有する太陽熱蒸気発電所における、特に自動的な出力調整および／または周波数調整についての、設定値の適合化方法および太陽熱発電所によって、解決される。
【００５４】
本発明の有利な発展形態は、従属請求項から明らかである。これらの発展形態は、本発明による方法ならびに本発明による太陽熱発電所に関する。本発明による太陽熱発電所は、本発明による方法または以下に説明する発展形態の１つを実施するのに特に適している。
【００５５】
本発明および上述の発展形態は、ソフトウエアにおいてもハードウエアにおいても、例えば特別な電気回路を使用して、実現することができる。
【００５６】
更に、本発明または上述の発展形態は、本発明または発展形態を実施するコンピュータプログラムが記憶されたコンピュータで読み取り可能な記憶媒体によって、実現することができる。
【００５７】
また、本発明および／または上述の各発展形態は、本発明またはその発展形態を実施するコンピュータプログラムが記憶された記憶媒体を有するコンピュータプログラム製品によって、実現することができる。
【００５８】
本発明は、一次循環路と、特に熱搬送媒体を介して一次循環路に（熱的に）結合された二次循環路とを有する、太陽熱発電所に関する。
【００５９】
一次循環路には、一つの  ‐一次熱供給用の適合化不能な一次熱源のための‐  一次循環路内を循環する熱搬送媒体、例えば（熱媒）油の、熱供給を（補助的に）上昇または減少するための、補助的な熱源が設けられる。
【００６０】
本発明による設定値の適合化方法によれば、太陽熱発電所の運転中の少なくとも１つの所定の時点における現在の出力調整範囲および／または周波数調整範囲、すなわち太陽熱発電所に対する現在の出力範囲（出力（窓））が、確認される。
【００６１】
この太陽熱蒸気発電所の現在の出力範囲または現在の出力調整範囲および／または周波数調整範囲は、調整範囲下限と調整範囲上限とによって、制限される。
【００６２】
更に、現在の出力範囲は、一次熱源による現在の一次熱供給からの現在の出力を利用して、および、補助熱源の出力範囲を利用して、定められる。
【００６３】
別の表現で云うならば、現在の出力範囲は、一次熱源による現在の一次熱供給からの現在の出力に基づいて現出する、もしくは、補助熱源  ‐または複数の補助熱源の出力範囲を加算したもの、に基づいて現出することとなる。
【００６４】
調整範囲の下限では、出力調整、および／または、周波数調整、より詳細には一次および／または二次の周波数調整のための、少なくとも１つのリザーブ成分を有する、下側の出力リザーブが考慮される。調整範囲の上限では、同様に出力調整、および／または、周波数調整、より詳細には一次および／または二次の周波数調整のための、少なくとも１つのリザーブ成分を有する、上側の出力リザーブが考慮される。
【００６５】
設定値の適合化に際しては、例えば負荷分配器から予め与えられる太陽熱発電所の現在の設定値は、もしも現在の出力範囲の外側にある場合には、その現在の出力範囲内に調整される。
【００６６】
この場合、現在の出力範囲の限界線は、現在の出力範囲にも属するべきである。
【００６７】
換言もしくは簡略化して言えば、本発明によれば、自由に適合化不能な一次熱源と補助熱源とを有するこの太陽熱発電所における、１つの運転時点で、この発電所の現在の出力範囲（（出力）窓）が確認される。
【００６８】
その現在の出力範囲は、一次熱源／供給、すなわち太陽エネルギーによって獲得できる出力によって、および  ‐これによって窓としての出力範囲が張られる‐  一方では最小可能な補助的熱供給によって獲得（最小補助熱供給もしくは燃焼）可能な出力によって、他方では最大可能な補助的熱供給により獲得可能（最大補助熱供給もしくは燃焼）な出力によって、定められることとなる。
【００６９】
この最小および最大の可能な補助的熱供給を用いて、補助熱源の  ‐下方および上方への‐  可能な最大の技術的境界条件が考慮される必要がある。
【００７０】
最小の補助的熱供給は、補助熱源を安定に運転するために補助的熱供給の一定（最小）量が必要であるということから生じ得る。同様に、最大の補助的熱供給は、補助熱源の安定した運転が「上方に向かって」制限されることから生じ得る。
【００７１】
更に、この種の補助熱源は、例えば天然ガス燃焼装置のように熱搬送媒体への迅速な熱搬入を可能にする、および／または、それを‐大きな範囲で‐  調整可能にするものとすることが有利である。特に、１つの大きな補助熱源の代わりに、より小さい複数の補助熱源（「小さい繋ぎ合わせ」）が、ここでは有利である。
【００７２】
例えば、熱搬送媒体に対する、または熱搬送媒体上への、補助的熱供給は、相応する特別の天然ガス燃焼器もしくは天然ガスボイラを有する  ‐または小さく繋ぎ合わせたものでは‐  複数の天然ガス燃焼器もしくは天然ガスボイラを有する、天然ガス燃焼装置とするか、あるいはこの種の装置によって行うようにすることができる。例えば石炭または油燃焼装置のような、他の補助燃焼装置も可能である。
【００７３】
現在の一次熱供給および補助的熱供給（最小および最大補助熱供給）からなるこの現在の出力範囲の限界線には、それぞれ出力調整、および／または、周波数調整、より詳細には一次および／または二次の周波数調整のための、少なくとも１つの出力リザーブ成分を有する出力リザーブが「組み込まれる」、もしくは、考慮される。
【００７４】
すなわち、この現在の出力範囲の限界線は、それぞれこの組み込まれるべきまたは考慮されるべき出力リザーブの分だけ寄せ集められ、これにより、現在の出力範囲は、その両出力リザーブ分だけ、上限および下限で減少される、  ‐および、これにより、この現在の出力範囲に対しては、出力の調整、および／または、周波数調整、より詳細には一次および／または二次の周波数調整のためのリザーブ成分が、用意もしくは保証される。
【００７５】
現在の出力範囲の限界線は、この場合、この範囲に属するものとみなすべきである。
【００７６】
これらの限界線は、境界線として、もしくはその現在の出力範囲／（出力）窓は、境界としてこの太陽熱発電所の設定値調整器に切換えることができ、この調整器は、所定の現在の設定値が現在の出力窓の外側にあるときには、この設定値を現在の出力窓内に調整する、もしくは現在の出力窓へと移動する（設定値の適合化）という働きをする。
【００７７】
概括的にみれば、ここでは現在の適合化すべき設定値は、少なくとも窓の相応する上限または下限までシフトされる。
【００７８】
現在の出力窓内への設定値の更なるシフトは、例えば出力窓の中心までは可能であるが、いずれにせよ、設定値を出力窓の限界線にまで「のみ」近づけ、これにより、設備の不要な大きな出力変動を避けるようにすることが合目的的であり得る。
【００７９】
太陽熱発電所の所定のまたは適合化された設定値が、この出力窓内にあれば、その太陽熱発電所の電力増補などの出力調整、二次または一次の調整が、常に可能もしくは保証される。
【００８０】
それとは無関係に、その太陽熱発電所の達成可能な出力は、確認されたキャン出力(can power)、すなわち個々の出力制限機器（例えば運転中の給水ポンプ）の状態に連関した太陽熱発電所の最大運行可能出力によってのみ、制限される。
【００８１】
現在の出力窓および／またはその限界線は、  ‐参考のため‐  負荷分配器にも伝達することができる。
【００８２】
本発明もしくは本発明による方法が、例えばこの蒸気発電所／太陽熱発電所の運転位相または運転期間の時間インターバルの時間経過、すなわち連続する複数の時点で実施されるときは、それぞれ実際に供される一次熱源、特に太陽光入射の（時間に亘る）変化につれて、設定値が、  ‐この蒸気発電所における出力調整、および／または、周波数調整、より詳細には一次および／または二次の周波数調整を保証するために‐  その内部になければならない出力窓が、自動的に上方もしくは下方へと、単純にシフトする。
【００８３】
設定値調整器の可能調整範囲の自動的適合化は、これに関連している。
【００８４】
特に、例えば雲の広がりによる一次熱源の減少および／または補助熱源の容量の減少によって、現在の設定値が突然に出力窓の上限以上となった場合には、この設定値は、それに相応して設定値調整器によって適合化される、すなわち設定値は上限の低下により自動的に下方に移されることとなる。
【００８５】
特に、例えば雲のない太陽光入射による一次熱源の、および／または、補助熱源の、容量の変化もしくは上昇に基づいて、上限が再び上方にシフトし、それによって出力窓上限で予め下方に引っ張られていた設定値が「上方への行動」を受けると、直ちに、設定値は再びできる限り上方へと適合化される。
【００８６】
すなわち、その設定値は、出力窓上限の上方へのシフトによって得られた（出力）行動を利用して可能な限り、すなわち上方にシフトする出力窓下限によって再び制限されて、当時の出力窓の外側にある本来の所定の設定値の方向である上方へとシフトすることができる。
【００８７】
これは、設定値が当時の出力窓の外側にある本来の所定のレベルに達するか、または現在の出力窓の内側にある新しい設定値が付与されるまで、行うことができる。
【００８８】
代替的に、設定値は、しかし新しい現在の設定値が付与されるまでは差し当たり、なおも出力窓の上方にシフトする上限のレベルに留まるようにすることも可能である。
【００８９】
同様なことは、突然出力窓の下限以下にある現在の設定値に対しても、当て嵌まる。
【００９０】
従って、一次熱供給が自由に適合化できない太陽熱発電所は、いずれの場合にも  ‐従来の解決手段とは異なり‐  出力および／または周波数を調整可能な状態に、すなわち出力調整運転中に、そしてそれゆえに一次および二次の調整の可能な状態に、留まることとなる。
【００９１】
これにより、運営者は、更に相応する補償を受ける。出力窓もしくは現在の出力範囲の限界値は、参考のため、負荷分配器にも伝達される。
【００９２】
これに相応する、本発明による太陽熱発電所は、データ処理手段、特にプログラムされた計算ユニット、特にブロックガイドで実行されるユニットを有し、本発明による設定値の設定値適合化方法が実施されるように設定される。
【００９３】
従って、本発明による設定値の設定値適合化方法、および、それに相応する本発明による太陽熱発電所は、自動的な出力調整、および／または、周波数調整、より詳細には一次および／または二次の周波数調整を、可能とする、なぜなら、その太陽熱発電所の見掛けのまたは適合化された設定値は、（常に）出力窓内に入っており、そこではその太陽熱発電所の電力増補や二次または一次の調整が、常に可能もしくは保証されているからである。
【００９４】
本発明は、多くの観点において著しく有利であることが実証されている。
【００９５】
本発明は、例えば太陽熱発電所の自動的もしくは自動化された出力調整運転を可能にする。本発明は、特に、太陽熱発電所の周波数調整能力、より詳細には一次および／または二次の調整能力を、可能とする。
【００９６】
従って、本発明によって運転される太陽熱発電所側から要求される系統接続条件が満たされることが可能となる。また、設備運営者は、一次および／または二次の調整によって、それに相応した補償を受ける。
【００９７】
本発明の有利な発展形態は、従属請求項からも明らかである。これらの発展形態は、本発明方法にも本発明による発電所にも関係する。
【００９８】
特に、本発明方法またはその発展形態を太陽熱発電所のブロックガイドにおいて実行し、そこで本発明方法および／またはその発展形態を実施すること、  ‐そして相応に太陽熱発電所を制御および／または調整もしくは運行することができるようにすることは、合目的的である。
【００９９】
更に、設定値が、  ‐適合化の場合‐  出力窓の限界線上にあるように太陽熱発電所を運行する、もしくは設定値を調整することは、合目的的である。すなわち、出力窓の外側にある現在の設定値の適合化は、これらの設定値がそれぞれ相応する現在の出力範囲の限界値に調整されるように、行うことができる。
【０１００】
また、現在の出力範囲の外側にある設定値を、更にそのときの現在の出力範囲、例えばその中心まで、移行することも可能である。
【０１０１】
例えば、一次熱供給に基づいて出力が既に最大設備出力もしくはキャン出力に近づくことによって、出力窓もしくは確認された窓の大きさが所定の最小範囲を下回ると、そのとき初めて、設備は実際値に追従し、負荷分配器の影響もしくは一次／二次の調整の影響が、遮断されることとなる。
【０１０２】
加えて、この太陽熱発電所は、当然にまたキャン出力に従って制限され、その出力を規定する構成要素による制限によって、太陽熱発電所の故障を避けることも可能である。
【０１０３】
別の有利な発展形式によれば、特に太陽熱発電所の自動化運転において、この発電所の所定の現在の設定値が現在の出力範囲の上側にある場合、特に設定値調整器によって自動的に、所定の現在の測定値が下方に向かって少なくとも調整範囲の上限まで戻されるようにすることができる。所定の現在の設定値が現在の出力範囲のちょうど上限に戻されるようにすることが、特に有利である。
【０１０４】
同様に、発電所の所定の現在の設定値が現在の出力範囲の下側にある場合、その所定の現在の設定値が、特に自動的に設定値調整器により、上方に向かって少なくとも調整範囲の下限まで戻されるようにすることができる。その所定の現在の設定値が現在の出力範囲のちょうど下限に戻されるようにすることが、特に有利である。
【０１０５】
１つの発展形態により、補助的な熱供給が、１つまたは複数の相応する天然ガス燃焼器もしくは天然ガスボイラによる天然ガスの燃焼によって行われると特に有利であり、これにより、最小天然ガス燃焼と最大天然ガス燃焼とからなる出力範囲が生じる。
【０１０６】
この結果、更に、補助的な熱供給からの最小可能出力を加算した現在の一次熱供給からの現在の出力を利用して（最小熱供給）、ならびに、補助的な熱供給からの最大可能出力を加算した現在の一次熱供給からの現在の出力を利用して（最大熱供給）、現在の出力範囲を定めることができる。
【０１０７】
また、調整範囲の下限では、補助的な熱源の経済的寄与を考慮することができる。従って経済的な理由から、補助熱源の  ‐経済的観点から定めるべき‐  出力寄与を考慮することが重要であり得る。調整範囲の下限は、この場合、補助熱源の、その経済的寄与分だけ高められ、出力範囲窓は、その経済的出力範囲だけ小さくされる。
【０１０８】
有利な発展形態によれば、下側の出力リザーブでは  ‐出力調整用のリザーブに加えて‐  出力急昇における下方燃焼用の別のリザーブ、および／または、蒸気蓄積器の開放、および／または、減衰（「ダンピング」）のための、別のリザーブを考慮することもできる。
【０１０９】
また、上側の出力リザーブでは、  ‐出力調整用のリザーブに加えて‐  出力急昇における上方燃焼用の別のリザーブ、および／または、蒸気蓄積器の充填および／または減衰（“ダンピング”）用の別のリザーブを、考慮することができる。
【０１１０】
有利な発展形態においては、調整範囲の下限は、補助熱供給からの最小可能出力を加算した、補助熱源の経済的出力範囲を加算した、ならびに、下側の出力リザーブを加算した、現在の一次熱供給からの現在の出力によって、定められる。
【０１１１】
この調整範囲の下限は、例えば数学的には、次のように書き換える、もしくは、表現することが可能である。すなわち、
現在の一次熱供給＋最小補助熱供給、例えば最小天然ガス燃焼＋補助熱源の、経済的出力寄与＋下側の出力リザーブ、例えば出力急昇における下方燃焼用のリザーブ、出力調整リザーブ、「ダンピング」リザーブ、および、場合によっては一次調整中の処置用のリザーブ。
【０１１２】
別の有利な発展形態によれば、調整範囲の上限は、補助熱供給からの最大可能出力を加算し、ならびに、上側の出力リザーブを減算した、現在の一次熱供給からの現在の出力によって、定められる。
【０１１３】
この調整範囲の上限も、例えば数学的には、次のように書き換える、もしくは、表現することが可能である。すなわち、
現在の一次熱供給＋最大補助的熱供給、例えば補助的天然ガス燃焼−上側の出力リザーブ、例えば出力急昇における上方燃焼用のリザーブ、出力調整リザーブ、「ダンピング」リザーブ、および、場合によっては一次調整中の処置用のリザーブ。
【０１１４】
別の有利な発展形態においては、太陽熱発電所の現在の出力範囲は、この蒸気発電所の設定値調整器に報知され、この調整器が、この発電所の所定の現在の設定値を、この設定値が現在の出力範囲の外側にある場合に、適合化する、すなわち現在の出力範囲に移行することが、行われる。
【０１１５】
また、調整範囲下限、および／または、調整範囲上限、および／または、太陽熱発電所の現在の出力範囲を、この太陽熱発電所が接続されている電力分配系統の負荷分配器に、報知することもできる。
【０１１６】
また、太陽熱発電所の確認された現在の出力範囲が所定の最小範囲を下回ると、所定の現在の設定値が実際値に追従する、および／または、負荷分配器の影響および／または一次／二次の調整範囲の影響が遮断されるようにすることが、有利である。
【０１１７】
本発明もしくは本発明による設定値の適合化は、それぞれ太陽熱発電所の運転中の所定の時間インターバルの複数の時点、特に多数の時点で実施されると、特に有利である。
【０１１８】
この場合、その時間インターバルは、その蒸気発電所の所定の運転期間とすることができる。その各時点は、時間インターバル中の時間列を形成するようにすることができる。
【０１１９】
本発明は、例えば、太陽熱発電所の運転中に、所定の時点にて、および、所定の時間間隔に亘って、投入もしくは実施することが可能である。
【０１２０】
それ以前、すなわち投入時点より前に実際に供される一次熱量によって運行される太陽熱発電所は、本発明の投入後もしくは実施時には所定の時間間隔に亘って（自動的に）出力追従運転で以て運行される。
【０１２１】
また、本発明、若しくは本発明による設定値の適合化を、太陽熱発電所の自動的出力調整に組み込むようにすることが、有利である。この場合、その発電所の所定の運転期間インターバルからの時間列の多数の時点で、それぞれ本発明、若しくは本発明による処置を、実施することができる。
【０１２２】
すなわち、この太陽熱発電所の所定の現在の設定値の１つが、その時の本発明による現在の出力範囲の外側にある度毎に、その現在の設定値は、自動的に、特にこの太陽熱発電所の設定値調整器によって、現在の出力範囲に適合化されることとなる。現在の出力範囲の外側にある現在の設定値は、現在の出力範囲に、有利にはその限界線上に、調整される。
【０１２３】
太陽熱発電所の出力は、所定の現在の、および、場合によっては適合化された、設定値を利用して、運行もしくは調整される。
【０１２４】
この場合、設定値の付与は、設備のオペレータ、例えば中央監視室の作業員によって、または、送電系統の負荷分配器によって、行うことができる。その設定値は、設定値調整器に投入され、その調整器は、太陽熱発電所の実際出力を相応に制御／調整する。
【０１２５】
更に、本発明によるデータ処理手段は、太陽熱発電所のブロックガイドの構成要素とすることができる。
【０１２６】
特に有利な発展形態によれば、太陽熱発電所は、まさに本発明を実施するように設計された、この種のブロックガイドを有する。
【０１２７】
周波数調整能力は、二次循環路が少なくとも熱エネルギー蓄積器を有し、この蓄積器が周波数調整の枠内で出力変化のために利用されると、更に改善される。
【０１２８】
この場合、この種の熱エネルギー蓄積器  ‐二次循環路における‐  は、給水もしくは水・蒸気循環路の水蒸気のような二次循環路のプロセス媒体中に内在するエネルギー蓄積器とすることができる。
【０１２９】
例えば、高圧タービン調整弁の絞り、高圧部タービン用の過負荷導入、凝縮露、高圧予熱器の給水側の迂回ならびに高圧予熱器へのタッピング蒸気導管の絞りが、公知の熱エネルギー蓄積器として挙げられる（非特許文献３）。
【０１３０】
この種の熱エネルギー蓄積器は、  ‐例えば絞りの変化または凝縮露の形成による蓄積されたエネルギーの「呼び出し」の際に‐  定められた範囲で二次循環路内の出力変化を許容する。いずれにせよ、この場合、すなわちそこに蓄積されたエネルギーの「呼び出し」の際に、熱エネルギー蓄積器は空にされる。
【０１３１】
ここで、少なくとも二次循環路内の熱エネルギー蓄積器を充填するために補助熱源を利用すると、特に有利である。
【０１３２】
合目的的な仕方、すなわち太陽熱発電所の更に高度な、および、迅速な、出力の適合化を可能にするためには、二次循環路内に、この種の熱エネルギー蓄積器を複数個使用し、そのそれぞれを、補助熱源を利用して再び充填できるようにすることが可能である。
【０１３３】
概括的もしくは簡略的に表現すれば、二次循環路内のもはや満タンではない熱エネルギー蓄積器は、一次循環路内の補助熱源を利用して充填される。
【０１３４】
このため、熱搬送媒体への補助的な熱供給を、例えば天然ガス燃焼器のような補助熱源によって、一次循環路において活性化または高めることができ、その結果、  ‐一次循環路と二次循環路の（熱的）結合により‐  二次循環路のプロセス媒体への補助的なエネルギー搬入が行われる。二次循環路のプロセス媒体へのこの補助的なエネルギー搬入は、二次循環路内の熱エネルギー蓄積器の（再）充填用に利用することができ  ‐これにより、太陽熱発電所の出力が変化もしくは低下することはなくなる。
【０１３５】
従って、このように熱エネルギー蓄積器の再充填用に一次循環路内の補助熱源を利用することは、太陽熱発電所における、より有効な出力調整、および／または、周波数調整、より詳細には一次および／または二次の周波数調整を、可能にする、なせなら、二次循環路における熱エネルギー蓄積器の（再）充填を介して  ‐放出された発電所出力には無関係に‐  その「再三充填される」熱エネルギー蓄積器が、ほぼ恒常的に、太陽熱発電所における周波数調整、より詳細には二次および／または一次の調整、の枠内での出力変化のために供されるからである。
【０１３６】
また、熱エネルギー蓄積器の充填度に連関した補助熱源による熱エネルギー蓄積器の充填を実施できることとなるので、特に有利である。
【０１３７】
熱エネルギー蓄積器の充填度が所定のレベルを下回ると、蓄積器は充填することができる。したがって、熱エネルギー蓄積器は、常に所定の充填度に、またはそれ以上に、保持されることが可能となる。特に、熱エネルギー蓄積器は、常に完全に充填される、もしくは、満タンの状態にされることが可能となる。
【０１３８】
本発明の有利な実施形態の上述の記載は、個々の従属請求項に部分的に複数にまとめて示した数多くの特徴を含んでいる。これらの特徴を、しかしながら、当業者は目的に応じて個々のものと見做すことや有意義な組み合わせのためにまとめることなども可能である。
【０１３９】
特に、これらの特徴は、それぞれ個々に、および任意の適当な組み合わせにおいて、各独立請求項による本発明の方法および／または装置と組み合わせることが可能である。
【０１４０】
図面には、以下に詳細に説明する本発明の一実施例が示されている。
【図面の簡単な説明】
【０１４１】
【図１】一実施例による出力調整可能な太陽熱発電所の、調整／制御／設備のプランを示す図である。
【図２】図１の出力調整可能な太陽熱発電所の出力窓を模式的に示す図である。
【図３】一実施例による実際運転および出力追従運転における、太陽熱発電所の出力範囲および出力特性を示す図である。
【発明を実施するための形態】
【０１４２】
実施例：自動化された出力調整可能な太陽熱発電所
図１は、出力調整可能な（「ロードセッティングモード」）太陽熱発電所１の調整／制御／設備プラン６０を示す。
【０１４３】
従来の一般的な太陽熱発電所とは異なり、ここに記載する発電所１は、  ‐一般的な公知の設備の実際運転ａ，ｃもしくは７２に付加して‐  自動化された出力調整（「ロードセッティングモード」／出力追従運転）ｂもしくは７１が可能である。
【０１４４】
この太陽熱発電所１の出力調整の可能性は、この場合、二次調整（「二次グリッド周波数制御」）の可能性も含む。
【０１４５】
太陽熱発電所１において生じる全ての情報、例えば測定値、プロセスまたは状態のデータは、監視室に表示され、中央計算ユニット６４、ブロックガイド６１にて  ‐即ち太陽熱発電所１の中央管理もしくは制御および／または調整機構中央にて‐  評価されることとなるが、その際、個々の発電所構成要素の運転状態が表示、評価、管理、制御および／または調整される。
【０１４６】
制御機構を介して、中央管理室員（オペレータ）が、ブロックガイド  ‐中央計算機の中心的構成要素としての‐  を介して、もしくは自動化されて、太陽熱発電所１の運転経過に関与する  ‐そしてこれにより、例えば装備または弁の開閉によって、または供給燃料量の変化によって、設備を運行する‐  ことができる。
【０１４７】
特に、太陽熱発電所１の出力調整、および／または、周波数調整、より詳細には一次および／または二次の周波数調整、および、自動的負荷追従運転７１も、ブロックガイド６１を介して制御される。
【０１４８】
この太陽熱発電所１、以下単に発電所１と略称することもある、は、２つの循環路２、３すなわち一次循環路（ソーラー循環路）２および二次循環路（水・蒸気循環路）３  ‐多段の熱交換器４０を介して（熱的に）結合された‐  を有している、すなわち、発電所は２回路原理で以て作動する。
【０１４９】
一次循環路、より詳細にはソーラー循環路２では、ソーラーコレクターフィールド１１に配置された大抵は多数のソーラーコレクター１２を貫流する熱搬送媒体１３、ここでは（熱媒）油１３が、そこで太陽光の入射１０によって加熱される（一次熱／エネルギー源、もしくは、一次エネルギー／熱供給もしくは搬入、一次エネルギー／源１０）。
【０１５０】
加熱された熱搬送媒体１３は、更に天然ガスが燃焼される天然ガスボイラ２１を貫流し、そこで「一次加熱された」熱媒油１３が、更に加熱される（２０）、もしくは加熱可能である（補助熱源／供給、補助エネルギー／源２０）。
【０１５１】
この補助熱源２０は、一方では、設備１を経済的に最適運行し、一次エネルギー源１０  ‐コントロール不能の変動を被る‐  からの出力を安定化する、そして、  ‐以下に詳述するように‐  発電所１の周波数調整能力および自動的負荷追従運転７１を可能にするべく用いられる。他方では、補助熱源２０は、熱媒油１３を液状に保つべく用いられる（アンチフリーズ保護）。
【０１５２】
補助熱源２０に続いて、熱媒油１３は、熱交換器４０を貫流し、そこで熱媒油は  ‐少なくとも部分的に‐  一次および場合によっては補助熱供給１０、２０から吸収した熱エネルギーを、二次循環路３、すなわち水・蒸気循環路３もしくはそこにあるプロセス媒体４１すなわち（給）水４１に伝達する。
【０１５３】
その後、  ‐供給ポンプ２３によって促進されて‐  今や冷却された  ‐熱搬送媒体１３、より詳細には熱媒油１３は、ソーラーコレクター１２もしくはソーラーフィールド１１に戻され、斯くして一次循環路、より詳細にはソーラー循環路２は、閉路を成している。
【０１５４】
一次循環路２から、二次循環路３、より詳細には水・蒸気循環路３への熱搬送によって、そこで（給）水４１が水蒸気４１に変換され、すなわち加熱、蒸発および過熱され、導管４３を介して蒸気タービン４２へと流れ、そこで水蒸気４１は、そのエネルギーの一部を、膨張によって運動エネルギーとしてタービン４２に付与する。
【０１５５】
そのタービン４２に結合された発電機４４によって、機械的出力が電力に変換され、それが電流として送電系統３３に給電される（４５）。
【０１５６】
そのタービンの下側には、凝縮器４６が配置され、そこで蒸気４１は  ‐タービン４２での膨張後に‐  その熱の大部分を冷却水に伝達する。この過程中に、蒸気４１は、凝縮によって液化する。
【０１５７】
給水ポンプ４８は、液化してなる水４１を、給水４１として改めて多段の熱交換器４０に供給し、斯くして二次循環路３は、閉路を成している。
【０１５８】
二次循環路３、すなわち水・蒸気循環路３では、種々の熱蓄積器６３が実現されるが、これは、給水４１、より詳細には水蒸気４１に内在するエネルギー蓄積器に基づくものである。
【０１５９】
図１は、例えば高圧タービン調節弁４７の絞り、より詳細に云うと高圧タービン調節弁絞り４７の形で以て、この種の熱蓄積器６３を示している。
【０１６０】
他の  ‐詳細には示さない‐  熱蓄積器６３は、高圧部タービンへの過負荷導入、凝縮露の蓄積、高圧予熱器への給水側の迂回、ならびに高圧予熱器へのタッピング蒸気管の絞り、である。
【０１６１】
この場合、高圧タービン調節弁６３  ‐ブロックガイド６１を介して制御／調節される‐  の絞りは、給水４１、より詳細には水蒸気４１に内在するエネルギーの所期の「呼び出し」を行い、これにより、二次循環路３における所期の出力変化が可能  ‐周波数調整の枠内で‐  となる。
【０１６２】
エネルギー／出力は、  ‐ここに例示の‐  熱蓄積器６３すなわち高圧タービン調整弁４７の絞りから、周波数調整における所望の出力変化に対応して呼び出されると、この熱蓄積器６３、４７は再び充填される必要がある。
【０１６３】
これは、ソーラー循環路２内の、補助的な、もしくは高められた天然ガス燃焼２０により  ‐同様にブロックガイド６１を介して制御されて‐  行われ、これにより、補助的な熱エネルギーが、熱媒油１３にもたらされる。
【０１６４】
熱交換器４０を介して、この補助的エネルギー搬入は、二次循環路３へと伝達され、そこで利用済みの熱蓄積器６３、４７の再充填のために使用される。ブロックガイド６１によって、絞り４７が、再び本来の状態に戻される、  ‐また、熱蓄積器６３、４７が、再び充填される。
【０１６５】
図１に示すように、このため  ‐適当な導線６２を介して‐  ブロックガイド６１には、ここでは特にソーラーフィールドの出力３０、天然ガス燃焼の運転状態３４、絞りの状態３５ならびに発電所１で作られる電力３１および送電系統３３の系統周波数３２も、報知される。
【０１６６】
図１に更に示すように、次いで  ‐天然ガス流２２、７３の制御／調整を介して‐  天然ガス燃焼２０の制御が行われる、そして、高圧タービン調整弁４７の絞りが  ‐高圧タービン調整弁絞り４７、７２の制御/調整を介して‐  同様にブロックガイド６１によって行われる。
【０１６７】
すなわち、設備１は、このように周波数の、より詳細には一次および／または二次の調整が可能な負荷追従運転７１において  ‐負荷分配器１４の自動的付与後に‐  運行可能である。設備１またはタービン４２は、このため、出力調整即ち絞られた弁による修正されたスライド圧力運転で以て、運行される。
【０１６８】
太陽熱発電所１では、達成可能な出力は、確認されたキャン出力９６、即ち発電所１の最大運行可能出力によって個々の出力が制限された機器（例えば運転中の給水ポンプ）の状態に依存して、制限される。
【０１６９】
「ロード・セッティング・モード」７１における発電所１の運行様式
図２は、出力追従運転／「ロード・セッティング・モード」７１または出力追従運転ｂもしくは７１のための、発電機１の相応する出力範囲８０を、模式的に示している。
【０１７０】
設備１によって可能な出力追従運転ｂもしくは７１においては、設備１は、絞られた弁による修正スライド圧力運転で以て運行される。相応する出力曲線もしくは運転特性は、図３に詳細に示されている。
【０１７１】
まず、図２に示す如く、発電所１が自動化されて出力調整可能な状態にある、すなわち「ロード・セッティング・モード」７１にある、出力範囲（出力窓／「適合化範囲」）８０は、一定の制限を受けている。
【０１７２】
設備１の出力設定値（設定値）７０は、自動化されて出力調整可能であるためには、この出力窓８０内になければならない。このため、出力窓８０の境界としての限界線９０は、出力設定値調整器（図示せず）に挿入されることとなる。
【０１７３】
出力窓８０は、差し当たり、燃焼可能な最小限の天然ガス量８２からの出力を加算して実際に供される一次エネルギー８１からの出力により、下方に向かって境界付けられる。上方に向かっては、出力窓８０は、差し当たり、燃焼可能な最小限の天然ガス量８３からの出力を加算して実際に供される一次エネルギー８１からの出力によって境界付けられる。
【０１７４】
更に、出力窓８０の下側の限界線９０には、最適な経済性８６を達成するための天然ガス燃焼量が用意される。すなわち、出力窓８０の下側の限界線９０は、この  ‐経済的なフレーム条件を考慮した‐  量だけ上方にシフトされる。
【０１７５】
自動化されて出力調整可能にするべく、更に出力窓８０の限界線９０には、下側の出力リザーブ８４ならびに上側の出力リザーブ８５が構築されることとなる。すなわち、出力窓８０は、下側もしくは上側の出力リザーブ８４、８５の分だけそれぞれ（更に）減少される。
【０１７６】
これらの出力リザーブ８４、８５は、発電所１がこれらの“リザーブ限界線”９１（「ロード・セッティング・モード」における出力範囲／窓の下限）、９２（「ロード・セッティング・モード」における出力範囲／窓の上限）内で運行される限り、すなわち設定値がこれらの限界線９１、９２内に調整されている限り、発電所が出力調整可能であることを保証する。
【０１７７】
下側の出力リザーブ８４は、出力急降における下方燃焼用リザーブ、「ダンピング」リザーブ、蒸気蓄積器の開放用リザーブおよび出力調整（「ロード・コントロール」）用リザーブ、ならびに、一次調整用リザーブから成り、上側の出力リザーブ８５は、出力急昇における上方燃焼用リザーブ、「ダンピング」リザーブ、蒸気蓄積器の充填用リザーブおよび出力調整用リザーブ、ならびに、一次調整用リザーブから成る。
【０１７８】
「ロード・セッティング・モード」における設備の出力上昇または出力減少にそれぞれ応じて、蒸気圧力を上昇または減少する必要がある。そのためには、相応する十分な量のリザーブ出力が、それぞれの場合で運行すべき出力急昇に対応して提供されなければならない。
【０１７９】
出力調整のためにも、タービン４２の出力調整および二次調整から生じる一定の出力リザーブが、前もって準備されなければならない。
【０１８０】
この出力窓８０は、その中に設備１の設定値７０が入っていなければならず、ダイナミックなものである、すなわち、それは発電所１の運転中に自由に使用できる一次エネルギー１０、９３に依存して  ‐変動もしくは変化して‐  シフトされる。一次エネルギー１０が多くなる（太陽光入射の上昇）と、出力窓８０は、上方にシフト９４される。一次エネルギーが少なくなる（曇り）と、出力窓は下方にシフト９５される。
【０１８１】
発電所１の達成可能な出力「運転範囲（range of operation）」１００は、上方に向かっては、確認されたキャン出力９６、すなわち個々の出力制限付き機器（例えば運転中の給水ポンプ）の状態に連関した発電所１の最大運行可能な出力によってのみ制限される。下方に向かっては、設備１の運行可能な出力は、設備１の安定運転に少なくとも必要な最大（最小）負荷／出力９７によってのみ制限される。
【０１８２】
出力窓８０もしくは確認された窓の大きさが、所定の最小範囲を下回ると、例えば一次熱供給１０に基づく出力が既に最大設備出力もしくはキャン出力９６に近づくことによって、初めて設備１は実際値に追従し、負荷分配器の影響もしくは一次／二次調整の影響が遮断される（実際運転７４）。
【０１８３】
図１に示すように、発電所１は、（出力の）設定値、MWel、７０の付与  ‐負荷分配器１４側からの‐  によって運行される。この付与された設定値７０から、天然ガス燃焼制御７３およびタービン制御７２用の相応する設定値が確認される、  ‐そしてそれに対応して、設備１が調整もしくは運行される。
【０１８４】
現在の出力窓８０の限界線９０は、負荷分配器１４にも参照されるべく報知される。
【０１８５】
図３は、実際運転ａ、ｃもしくは７４ならびに出力追従運転ｂもしくは７１（「ロード・セッティング・モード」）における、太陽熱発電所１の出力範囲および運転／出力特性の曲線図である。
【０１８６】
この場合、図示の曲線はそれぞれ、正規化された曲線として、時間ｔ（軸１０６）上の［％］（軸１０５）で以て示されている。
【０１８７】
曲線１０１は、一次熱源／供給１０によって提供される出力の経過を示す。曲線１０４は、設備１の（出力‐）設定値の経過を示す。そして、曲線１０７は、設備１が提供した実際出力を示す。
【０１８８】
設備１の運転段階ａとｃとの間においては、太陽熱発電所１は、通常の実際運転７４で以て  ‐オペレータの手動により‐  運行される。一次熱源／供給１０から得られた出力に従って設備１の設定値７０が調整される、すなわち、設定値７０は一次エネルギー１０の経過１０１に追従する。
【０１８９】
時点Ａで、発電所１は、出力追従運転ｂもしくは７１に移行し、そこで設備は時点Ｂまで運行される。
【０１９０】
出力追従運転７１が開始される時点Ａで、図３に示した出力窓下限１０２もしくは９１にて、および、出力窓上限１０３もしくは９２にて、出力窓８０が「開く」。その設定値は、時点Ａにおいて出力窓８０のほぼ中央で運行される。
【０１９１】
図３に更に示すように、それぞれ実際に得られる「一次エネルギー」１０、１０１の変化に伴って、出力窓８０は、設定値７０がその中に留まる必要があり（経過Ｃ）  ‐太陽熱発電所１における出力調整７１を保証するため‐  上方もしくは下方に向かってシフトされる。
【０１９２】
これに連関して設定値調整器の可能調整範囲の自動的な適合化が行われる。
【０１９３】
図３に示すように、現在の設定値７０は、一次エネルギー１０が減少した結果、今や突然に出力窓８０の上限１０３、９２を超えなんとするところ（点Ｇ）、設定値調整器によって相応に適合化される、すなわち、上限１０３の降下に伴って自動的に下方へと移行することとなる（経過／位相ｅ）。
【０１９４】
一次エネルギー１０の変化もしくは上昇に基づいて、直ちに上限１０３が再び上方にシフトすると（点Ｈ）、設定値は、新しい現在の設定値７０が与えられるまでは（点Ｄ）、差し当たり点Ｈのレベル上に留まり続ける。
【０１９５】
同様なことは、出力窓８０の下限１０２よりも突然に低くなった現在の設定値７０に対しても、あてはまる。
【０１９６】
ここで、図３に示すように、現在の設定値７０は、一次エネルギー１０が上昇した結果、出力窓８０の下限１０２、９１の下側に今や突然に降下せんとするところ（点Ｅ）、設定値調整器によって相応に適合化される、すなわち、設定値は下限１０２の上昇に伴って自動的に上方へと移行することとなる（経過／位相ｄ）。
【０１９７】
一次エネルギー１０の変化もしくは減少に基づいて、直ちに下限１０２が再び下方へとシフトすると（点Ｆ）、設定値７０は、新しい現在の設定値７０が与えられるまで（点Ｄ）、差し当たり点Ｆのレベル上に留まり続ける。
【０１９８】
時点Ｂで、設備１は出力追従運転ｂを脱して、再び実際運転ｃもしくは７４へと移行する。出力窓８０は自らを「閉じる」。設定値７０は、再び一次エネルギー１０に直接的に追従する。
【０１９９】
本発明の詳細を有利な実施例によって詳細に図示および説明したが、本発明は開示された例に限定されるものでなく、様々のヴァリエーションは本発明の保護範囲を逸脱することなく当業者によって導出可能である。
【符号の説明】
【０２００】
１      太陽熱蒸気発電所
２      一次循環路（ソーラー循環路）
３      二次循環路（水・蒸気循環路）
１０    一次熱源
１１    ソーラーフィールド
１２    ソーラーコレクター
１３    熱媒油
１４    負荷分配器
２０    補助熱源
２１    天然ガスボイラ（天然ガス燃焼）
２２    天然ガス流
２３    供給ポンプ
３０    出力
３１    電力
３２    系統周波数
３３    送電系統
３４    運転状態
３５    絞りの状態
４１    給水（水蒸気）
４２    蒸気タービン
４３    導管
４４    発電機
４５    給電
４６    凝縮器
４７    高圧タービン調節弁絞り
６２    導線
６３    熱蓄積器
７０    所定の現在の設定値
７４    実際運転
８０    現在の出力範囲
８１    一次エネルギー（一次熱源）
８２    補助エネルギー（補助熱源）
８３    補助熱源からの出力範囲
８４    下側の出力リザーブ
８５    上側の出力リザーブ
８６    最適な経済性（の範囲）
９０    出力窓の限界線
９１    調整範囲下限
９２    調整範囲上限
９３    一次エネルギー
９６    キャン出力
９７    最大（最小）負荷／出力
１００  発電所の達成可能な出力運転範囲
１０１  一次エネルギーの出力の経過
１０３  出力窓上限
１０４  設備の出力設定値の経過
１０７  設備の実際出力の経過
【図１】
0006012773.tif 000002
【図２】
0006012773.tif 000003
【図３】
0006012773.tif 000004